(57)【要約】【課題】  液晶の無駄な消費量を少なくすることのできる液晶ボートを提供する。【解決手段】  上部開口２ａを有し、減圧槽Ｖの内部に配置され、液晶Ｌが貯留されるとともに、貯留された液晶Ｌに浸される繊維材料を撚った液晶吸引保持体Ｙが載置される液晶溜め２を有し、減圧によって生じる液晶Ｌの泡が液晶溜め２から外部にこぼれるのを液晶溜め２それ自体の形状によって防止可能に形成する。【選択図】      図１
2005345500.tif 000002
【特許請求の範囲】
【請求項１】
上部開口を有し、減圧槽の内部に配置され、液晶が貯留されるとともに、貯留された液晶に浸される繊維材料を撚った液晶吸引保持体が載置される液晶溜めを有している液晶ボートにおいて、
減圧によって生じる液晶の泡が前記液晶溜めから外部にこぼれるのを前記液晶溜めそれ自体の形状によって防止可能に形成されていることを特徴とする液晶ボート。
【請求項２】
前記液晶溜めの少なくとも前記液晶吸引保持体の長手方向に対して直交する幅方向外側に位置する前記上部開口の幅方向のサイズが、前記液晶吸引保持体の幅方向のサイズの２倍以上とされている請求項１に記載の液晶ボート。
【請求項３】
前記液晶溜めの内面のうち、少なくとも前記液晶吸引保持体の長手方向に対して直交する幅方向に位置する内側面が、前記液晶吸引保持体側に向かって傾斜した傾斜面とされている請求項２に記載の液晶ボート。
【請求項４】
前記傾斜面の底面側に位置する端縁が、前記液晶溜めの前記液晶吸引保持体が載置される保持体載置領域の幅方向の外側に形成されている請求項３に記載の液晶ボート。
【請求項５】
前記液晶溜めの内部に、前記液晶吸引保持体の水平方向の位置決めを行う位置決め部材が設けられている請求項１ないし４のいずれか１項に記載の液晶ボート。
【発明の詳細な説明】
【技術分野】
【０００１】
本発明は、空の液晶表示パネルに液晶を注入するのに好適な液晶ボートに関する。
【背景技術】
【０００２】
従来から、情報を文字や図形などの各種の画像として表示する表示装置の一種として、液晶表示パネルを表示部に用いた液晶表示装置が知られている。この液晶表示装置に用いられる液晶表示パネルは、注入口を設けた空の液晶表示パネル（以下、空パネルと記す）を形成し、空パネルの内部に圧力差を利用して液晶を注入している。
【０００３】
前記空パネルの内部に液晶を注入する液晶注入装置としては、液晶を貯留する液晶溜めを具備する液晶ボートと、液晶溜めに貯留された液晶に下部が浸漬される液晶溜めから液晶を吸い上げる毛細管現象生成体および液晶を湿潤状態に保持する液晶保持面材との機能を具備する繊維材料を撚った液晶吸引保持体とを有するものが提案されている（例えば、特許文献１参照）。
【０００４】
図３および図４は従来の液晶注入装置の一例を示すものであり、従来の液晶注入装置１０１は、減圧槽Ｖの内部に配置される盤状の液晶ボート１０２を有している。この液晶ボート１０２の上面には、全体として平面ほぼ矩形の上部開口１０３ａを有する液晶溜め１０３が、その長手方向（図４の上下方向）を液晶ボート１０２の長手方向と同一方向に向けて凹設されている。この液晶溜め１０３の上部開口１０３ａは、その長手方向のサイズが、液晶溜め１０３に載置される液晶吸引保持体Ｙの長手方向のサイズとほぼ等しく形成されている。また、液晶溜め１０３の長手方向に対して直交する幅方向（図４の左右方向）のサイズは、液晶溜め１０３に載置される液晶吸引保持体Ｙの長手方向に対して直交する幅方向のサイズの２倍程度に形成されている。
【０００５】
また、液晶溜め１０３には、液晶吸引保持体Ｙの水平方向の位置決めを行う位置決め部材としての左右一対の位置決めガイド１０４が設けられている。これらの位置決めガイド１０４は、液晶溜め１０３の底面１０３ｂに液晶溜め１０３の長手方向に沿って突設されており、その上面は、液晶ボート１０２の上面と面一にされている。そして、両位置決めガイド１０４の相互間の間隔は、液晶吸引保持体Ｙの幅方向のサイズとほぼ等しく形成されており、両位置決めガイド１０４の相互間に、液晶吸引保持体Ｙが位置決めされるようになっている。
【０００６】
すなわち、液晶溜め１０３の両位置決めガイド１０４の相互間は、液晶吸引保持体Ｙが載置される保持体載置領域１０５とされており、両位置決めガイド１０４の相互間の間隔が保持体載置領域１０５の幅方向のサイズとほぼ等しく形成されている。
【０００７】
前記両位置決めガイド１０４は、図４に示すように、その長手方向に沿って分割形成されており、位置決めガイド１０４の両側に位置する液晶Ｌが相互に自由に流動することができるようになっている。また、液晶溜め１０３の幅方向の両端に位置する内側面１０３ｃと、これら各内側面１０３ｃにそれぞれ対向する位置決めガイド１０４の側面との間隔、すなわち、液晶溜め１０３の液晶吸引保持体Ｙの長手方向に対して直交する幅方向外側に位置する上部開口１０３ａの幅方向のサイズは、液晶吸引保持体Ｙの幅方向のサイズより小さく、例えば、液晶吸引保持体Ｙの幅方向のサイズの半分程度に形成されている。
【０００８】
前記液晶吸引保持体Ｙは、液晶Ｌを吸い上げて湿潤状態に保持するためのものであり、ガラス繊維などの繊維材料を撚ったヤーンにより断面ほぼ円形の縄状に形成されている。そして、液晶吸引保持体Ｙは、その下部が液晶溜め１０３に貯留された液晶Ｌに浸漬されており、上部が液晶ボート１０２の上面の上方に露出されるようになっている。
【０００９】
このような構成からなる液晶注入装置１０１を用いた空パネルＰへの液晶Ｌの注入について説明する。
【００１０】
まず、減圧槽Ｖの内部を液晶Ｌの注入に必要な真空度に達するまで減圧する。ついで、減圧槽Ｖを減圧した状態で、図示しないパネル移動手段を駆動して、図３に想像線にて示すように、空パネルＰを下方に移動して、その注入口Ｐａを液晶吸引保持体Ｙの上部に接触させる。ついで、減圧槽Ｖの減圧状態を解除して減圧槽Ｖの内部を大気圧に戻すことにより、毛細管現象と圧力差とを利用して液晶溜め１０３に貯留された液晶Ｌを、液晶吸引保持体Ｙから注入口Ｐａを介して空パネルＰの内部に送り込んで注入し、空パネルＰに対する液晶Ｌの注入を終了するようになっている。
【００１１】
また、従来の液晶注入装置１０１を用いた空パネルＰへの液晶Ｌの注入においては、液晶吸引保持体Ｙを構成する繊維と繊維との間に存在する空気、液晶吸引保持体Ｙと液晶Ｌとの接触部分に抱き込まれた空気、液晶Ｌと液晶溜め１０３の接触部分に抱き込まれた空気、液晶Ｌ自体に含まれる溶存気体などの気体を除去するための脱気工程が必要である。この脱気工程は、空パネルＰへの液晶Ｌの注入に先だって、液晶ボート１０２の液晶溜め１０３に、液晶吸引保持体Ｙを載置するとともに、液晶溜め１０３に所定量の液晶Ｌを貯留した状態で、減圧槽Ｖの内部を減圧することにより実施されている。そして、脱気工程は、空パネルＰへの液晶Ｌの注入毎に行われている。さらにまた、液晶ボート１０２の液晶溜め１０３に貯留した液晶Ｌは、空パネルＰへの液晶Ｌの注入により消費されるため、液晶ボート１０２の液晶溜め１０３には、新たな液晶Ｌが注入毎あるいは比較的短い注入間隔毎に補充されるようになっている。
【００１２】
【特許文献１】特開２００２−４０４５０号公報
【発明の開示】
【発明が解決しようとする課題】
【００１３】
しかしながら、従来の液晶注入装置１０１においては、液晶Ｌの無駄な消費量が多いという問題点があった。
【００１４】
すなわち、従来の液晶注入装置１０１による空パネルＰに対する液晶Ｌの注入においては、脱気工程における減圧によって、液晶Ｌの泡が発生し、この泡の一部が液晶溜め１０３から外部にこぼれてしまう、すなわち、液晶Ｌが液晶ボート１０２の外部にこぼれてしまうという問題点があった。
【００１５】
したがって、従来の液晶注入装置１０１においては、図４に想像線にて示す液晶ボート１０２の下方にオイルパンの如き受け皿Ｃを配置し、この受け皿によって液晶ボート１０２からこぼれた液晶Ｌを回収するすることができるように構成されている。この受け皿Ｃによって回収された液晶Ｌは、再使用することができないので廃棄処理されており、液晶Ｌが無駄に消費されることになる。
【００１６】
なお、液晶Ｌの泡は、液晶吸引保持体Ｙからの発泡によるものが主体である。つまり、液晶吸引保持体Ｙを構成する繊維と繊維との間に存在する空気、および、液晶吸引保持体Ｙと液晶Ｌとの接触部分に抱き込まれた空気に起因するものがほとんどであり、それ以外の液晶Ｌと液晶溜め１０３の接触部分に抱き込まれた空気や液晶Ｌ自体に含まれる溶存気体などによるものは極微量である。そのため、液晶Ｌの泡は、液晶吸引保持体Ｙの表面が発泡するようにして生じている。
【００１７】
このような問題点に対処するため、従来の液層注入装置１０１においては、液晶Ｌの脱気工程を複数、例えば２回に分割している。そして、最初の脱気工程において液晶溜め１０３に、空パネルＰに対する液晶Ｌの注入に必要な量より少ない量の液晶Ｌを注ぎ入れるとともに、少量の液晶Ｌに浸した液晶吸引保持体Ｙを載置した状態で、泡の発生および成長が消泡の速度を上回らないように、操作者が、気泡の発生および消泡の状態を視認しながら減圧槽の内部の真空度を、上下動させながら下げたり、階段状に下げたり（ステップダウン）するなどして徐々に大きくすることで気体の脱気を実施している。ついで、減圧槽Ｖの減圧状態を解除して減圧槽Ｖの内部を大気圧に戻してから、２回目の脱気工程において液晶溜め１０３に液晶Ｌを注ぎ足すことにより、空パネルＰに液晶Ｌを注入するのに必要な量の液晶Ｌを液晶溜め１０３に供給し、その後、減圧槽Ｖの内部を再び減圧して注ぎ足した液晶Ｌに含まれる溶存気体、注ぎ足した液晶Ｌと液晶溜め１０３の接触部分に抱き込まれた気体の脱気を行うようになっている。
【００１８】
しかしながら、液晶Ｌの脱気工程を分割するものでは、液晶Ｌの脱気に、多大な労力と時間とを必要とし、生産性に劣るという問題点があった。
【００１９】
そこで、脱気工程において、超音波振動子による振動を液晶に付与することで、液晶の泡を、その発生とほぼ同時に消泡することができる液晶注入装置が提案されている。
【００２０】
しかしながら、液晶の泡を強制的に消泡することのできる液晶注入装置においては、脱気工程に要する労力および時間を低減することはできるものの、装置の構造が複雑になるという問題点があった。
【００２１】
そこで、脱気工程を分割せず、かつ、装置の構造を複雑にすることなく液晶の泡が液晶溜めから外部にこぼれるのをみずから防止することのできる液晶ボートが求められている。
【００２２】
本発明はこの点に鑑みてなされたものであり、液晶の無駄な消費量を少なくすることのできる液晶ボートを提供することを目的とする。
【課題を解決するための手段】
【００２３】
前述した目的を達成するため、特許請求の範囲の請求項１に係る本発明の液晶ボートの特徴は、上部開口を有し、減圧槽の内部に配置され、液晶表示パネルに注入するための液晶が貯留されるとともに、貯留された液晶に浸される繊維材料を撚った液晶吸引保持体が載置される液晶溜めを有している液晶ボートにおいて、減圧によって生じる液晶の泡が前記液晶溜めから外部にこぼれるのを前記液晶溜めそれ自体の形状によって防止可能に形成されている点にある。
【００２４】
前記液晶溜めの少なくとも前記液晶吸引保持体の長手方向に対して直交する幅方向外側に位置する前記上部開口の幅方向のサイズが、前記液晶吸引保持体の幅方向のサイズの２倍以上とされていることが好ましい。
【００２５】
また、前記液晶溜めの内面のうち、少なくとも前記液晶吸引保持体の長手方向に対して直交する幅方向に位置する内側面が、前記液晶吸引保持体側に向かって傾斜した傾斜面とされていることが好ましい。
【００２６】
さらに、前記傾斜面の底面側に位置する端縁が、前記液晶溜めの前記液晶吸引保持体が載置される保持体載置領域の幅方向の外側に形成されていることが好ましい。
【００２７】
さらにまた、液晶溜めの内部に、前記液晶吸引保持体の水平方向の位置決めを行う位置決め部材が設けられていることが好ましい。
【発明の効果】
【００２８】
本発明の液晶注入装置によれば、液晶の無駄な消費量を少なくすることができるなどの極めて優れた効果を奏する。
【発明を実施するための最良の形態】
【００２９】
以下、本発明を図面に示す実施形態により説明する。なお、前述した従来のものと同一の構成については図面中に同一の符号を付す。
【００３０】
図１および図２は本発明に係る液晶ボートの実施形態を示すものであり、図１は要部構成を示す断面図、図２は図１の縮小平面図である。
【００３１】
本実施形態の液晶ボート１は、従来と同様に、減圧槽（図３のＶ）の内部に配置されるものであり、図１および図２に示すように、平面矩形の盤状に形成されている。そして、液晶ボート１の上面には、平面矩形の上部開口２ａを有する液晶溜め２が、その長手方向（図２の上下方向）を液晶ボート１の長手方向と同一方向に向けて凹設されている。この液晶溜め２の上部開口２ａは、その長手方向のサイズＬＡおよびこの長手方向に対して直交する幅方向（図２の左右方向）のサイズＷＡが、従来より大きく形成されている。この液晶溜め２の上部開口２ａのサイズについては後に詳しく説明する。
【００３２】
前記液晶溜め２には、液晶Ｌが貯留されるとともに、液晶吸引保持体Ｙが着脱自在に載置されるようになっている。そして、図１に示すように、液晶吸引保持体Ｙの上部が液晶ボート１の上面の上方に露出され、液晶吸引保持体Ｙの下部が液晶溜め２に貯留された液晶Ｌに浸漬されるようになっている。
【００３３】
前記液晶吸引保持体Ｙは、液晶溜め２に貯留された液晶Ｌを吸い上げて湿潤状態に保持するためのものであり、繊維材料を撚ったヤーンにより断面ほぼ円形の縄状に形成されている。この繊維材料としては、ガラス繊維が一般的であり、液晶Ｌの仕様などの必要に応じて液晶Ｌとの濡れ性に優れ、アミン系のドーパント成分を吸着しない、フッ素樹脂繊維、ポリエチレン（ＰＥ）、ポリプロピレン（ＰＰ）、エチレン−プロピレン共重合体などのポリオレフィン繊維なども選択使用される。
【００３４】
本実施形態の液晶溜め２には、液晶吸引保持体Ｙの水平方向の位置決めを行う位置決め部材として左右一対の位置決めガイド３が設けられている。これらの位置決めガイド３は、液晶溜め２の底面２ｂに、液晶溜め２の長手方向、すなわち、液晶吸引保持体Ｙの長手方向に沿って突設されている。また、両位置決めガイド３の相互間の間隔Ｗａは、液晶吸引保持体Ｙの幅方向のサイズ（直径）Ｙａとほぼ等しく形成されている。さらに、両位置決めガイド３は、図２に示すように、その長手方向に沿って分割形成されており、位置決めガイド３の両側に位置する液晶Ｌが相互に自由に流動することができるようになっている。またさらに、両位置決めガイド３の上面は、液晶ボート１の上面と面一に形成されている。
【００３５】
したがって、本実施形態の液晶ボート１においては、液晶溜め２の両位置決めガイド３の間に挟まれた部分が液晶吸引保持体Ｙを載置するための保持体載置領域４とされており、この保持体載置領域４に、液晶吸引保持体Ｙが位置決めされた状態で載置されるようになっている。
【００３６】
なお、位置決めガイド３としては、一枚の平板により形成してもよい。この場合、平板の液晶溜め２の底面２ｂ側に位置する下端に溝を設けたり、平板に複数の貫通孔を設けるなどして、位置決めガイド３の両側に位置する液晶Ｌを相互に自由に流動させることが肝要である。
【００３７】
また、位置決めガイド３としては、液晶吸引保持体Ｙの水平方向の位置決めを行うことのできる構成、例えば、液晶溜め２の底面２ｂの液晶吸引保持体Ｙの配設予定領域の両側に、複数のピンを配列する構成としてもよい。勿論、位置決めガイド３を液晶溜め２の底面２ｂに着脱自在としてもよい。
【００３８】
また、位置決め部材は、液晶吸引保持体Ｙの形状などに応じて変更することができる。例えば、液晶吸引保持体Ｙの断面形状を上面がアーチ状の四角形とした場合には、位置決めガイド３を設ける構成ではなく、液晶吸引保持体Ｙの底面に設けたガイド穴を液晶溜め２の底面２ｂに設けた位置決めピンに嵌合させる構成などとすることができる。
【００３９】
前記液晶溜め２の上部開口２ａの幅方向のサイズＷＡのうち、液晶溜め２の液晶吸引保持体Ｙの長手方向に対して直交する幅方向外側に位置する上部開口２ａの幅方向のサイズＷｂは、それぞれ、液晶吸引保持体Ｙの幅方向のサイズＹａの２倍以上とされている。すなわち、液晶溜め２の内面のうちの幅方向に位置する内側面２ｃの上部開口端と、この内側面２ｃの上部開口端に対向する位置決めガイド３の対向側面との相互間の間隔が、液晶吸引保持体Ｙの幅方向のサイズＹａの２倍以上とされている。この上部開口２ａの幅方向のサイズＷｂがこの範囲を下回ると、液晶Ｌの泡が液晶溜め２からこぼれてしまう傾向がある。
【００４０】
なお、位置決め部材として、位置決めガイド３を設ける構成ではなく、液晶吸引保持体Ｙの底面に設けたガイド穴を液晶溜め２の底面２ｂに設けた位置決めピンに嵌合させる構成とした場合には、液晶溜め２の液晶吸引保持体Ｙの長手方向に対して直交する幅方向外側に位置する上部開口２ａの幅方向のサイズＷｂは、液晶吸引保持体Ｙの側方に直接隣位する上部開口２ａの幅方向のサイズとなる。
【００４１】
前記液晶溜め２の長手方向のサイズＬＡは、液晶溜め２の内面のうちの長手方向に位置する内端面２ｄと、この内端面２ｄと対向する液晶吸引保持体Ｙの端面との相互間に、それぞれ所定の間隔Ｌａをあけて配置することができるサイズとされている。すなわち、液晶溜め２の上部開口２ａの長手方向のサイズＬＡは、液晶吸引保持体Ｙの長手方向のサイズに、間隔Ｌａの２倍のサイズを加算したサイズに形成されている。この間隔Ｌａのサイズとしては、液晶吸引保持体Ｙの幅方向のサイズＹａの２倍以上とすることがより好ましい。
【００４２】
したがって、本実施形態の減圧によって生じた液晶Ｌの泡が液晶溜め２から外部にこぼれるのを防止する液晶溜め２自体の形状は、少なくとも液晶吸引保持体Ｙの長手方向に対して直交する幅方向外側に位置する上部開口２ａの幅方向のサイズＷｂを液晶吸引保持体Ｙの幅方向のサイズＹａの２倍以上とすることにより形成されている。
【００４３】
なお、液晶Ｌの泡が液晶溜め２から外部にこぼれるのを防止する液晶溜め２自体の形状としては、減圧により生じた液晶Ｌの泡を、消泡するまで液晶溜め２の内部に保持することのできる形状、例えば、液晶ボート１の上面を空パネルより大きくして液晶ボート１の上面に液晶溜め２の周囲を囲繞するように堰を設けたり、液晶溜め２の上部開口２ａを空パネルより大きくして液晶ボート１の上面の液晶溜め２の周囲に外堀様の溝を設けたりする構成としてもよい。この場合、堰の内側や、溝の内部を液晶溜め２に連通させることが肝要である。
【００４４】
前記内側面２ｃは、液晶溜め２の底面２ｂに向かって上向きに所定角度で傾斜した傾斜面、すなわち、液晶吸引保持体Ｙ側に向かう傾斜面とされており、傾斜面の底面側に位置する端縁は、液晶溜め２の液晶吸引保持体Ｙが載置される保持体載置領域４の幅方向の外側、本実施形態においては、位置決めガイド３の外側に配置されている。この内側面２ｃである傾斜面と液晶溜め２の底面２ｂとのなす角度としては、液晶吸引保持体Ｙのサイズにもよるが、１０〜４５度、好ましくは１５〜３０度とするとよい。この内側面２ｃの傾斜面と液晶溜め２の底面２ｂとのなす角度がこの範囲を下回ると、液晶Ｌの泡が液晶溜め２からこぼれないように、減圧時に発生する液晶Ｌの泡を幅方向の中央に寄せる効果を得ることができない傾向がある。一方、角度がこの範囲を超えると、液晶吸引保持体Ｙを湿潤状態に保持するための液晶Ｌが増加する傾向がある。なお、傾斜角度は、一定ではなく、底面２ｂに近づくにつれて傾斜角度が大きくなるように形成してもよい。
【００４５】
また、内端面２ｄについても、内側面２ｃと同様の傾斜面とすることがより好ましい。
【００４６】
また、本実施形態の液晶ボート１により、複数の空パネル（図３のＰ）に液晶Ｌの注入を同時に行う場合、空パネルの注入口（図３のＰａ）が直線状をなすように厚さ方向に配列することが注入口の位置合わせを容易にできるという意味で好ましい。
【００４７】
また、複数の液晶ボート１を、減圧槽Ｖ内に相互に平行に配列することで、より多くの空パネルに液晶Ｌの注入を同時に行うことができる。
【００４８】
つぎに、前述した構成からなる本実施形態の作用について説明する。
【００４９】
本実施形態の液晶ボート１を用いた空パネルＰへの液晶Ｌの注入は、減圧槽の内部の所定位置に液晶ボート１を配置し、その後、液晶溜め２の保持体載置領域４に液晶吸引保持体Ｙを載置するとともに、液晶ボートの液晶溜め２に所定量の液晶Ｌを貯留した状態で、減圧槽の内部を液晶Ｌの注入に必要な真空度に達するまで減圧する。この減圧により、液晶Ｌから気体が脱気されるとともに、気体を含まない液晶Ｌによって液晶吸引保持体Ｙが湿潤状態に保持される。
【００５０】
この時、減圧により生じた液晶Ｌの泡は、泡の発生および成長が消泡の速度を上回る場合であっても、液晶溜め２の形状効果によって、消泡するまで液晶溜め２の内部に保持される。このように、減圧により発生した液晶Ｌの泡は、液晶溜め２の形状効果によって、消泡するまで、液晶溜め２の内部に確実に保持されるので、従来のように脱気工程を分割する必要がない。
【００５１】
ついで、減圧槽Ｖを減圧した状態で、図示しないパネル移動手段を駆動して、空パネル（図３のＰ）を下方に移動して、その注入口（図３のＰａ）を液晶吸引保持体Ｙに接触させる。ついで、減圧槽の減圧状態を解除して減圧槽の内部を大気圧に戻すことにより、毛細管現象と圧力差とを利用して液晶溜め２に貯留された液晶Ｌを、液晶吸引保持体Ｙから注入口を介して空パネルの内部に送り込んで注入し、空パネルに対する液晶Ｌの注入を終了する。
【００５２】
このように、本実施形態の液晶ボート１によれば、減圧によって生じた液晶Ｌの泡が液晶溜め２から外部にこぼれるのを液晶溜め２それ自体の形状、すなわち液晶溜め２の形状効果によって防止することができる。
【００５３】
このことは、携帯電話用の液晶表示パネルを用いた製造実験結果により確認することができた。
【００５４】
なお、製造実験は、液晶溜め２の液晶吸引保持体Ｙの幅方向外側に位置する上部開口２ａの幅方向のサイズＷｂを液晶吸引保持体Ｙの幅方向のサイズＹａの３．６倍とし、内側面２ｃの傾斜面と底面２ｂとのなす角度を１５度としたものを本発明品とし、液晶溜め２の液晶吸引保持体Ｙの幅方向外側に位置する上部開口２ａの幅方向のサイズＷｂを液晶吸引保持体Ｙの幅方向のサイズＹａの１／２とし、内側面２ｃを傾斜面とせずに底面２ｂに対して垂直壁としたものを従来品とし、液晶Ｌの量をはじめその他の条件を同一として実施した。
【００５５】
そして、本発明品および従来品のそれぞれについて、１０万枚程度の液晶表示パネルに対する液晶Ｌの注入を実施したところ、液晶表示パネル１枚当たりの本発明品における液晶Ｌの無駄な消費量（受け皿Ｃに溜まった液晶ボート１からの液晶Ｌのこぼれ量）を、従来品における液晶Ｌの無駄な消費量の１／２５（本発明品が０．０００１グラム：従来品が０．００２５グラム）程度とすることができるという実験結果を得ることができた。この製造実験結果を以下の表１に示す。
【００５６】
【表１】
2005345500.tif 000003
【００５７】
なお、本発明品における液晶Ｌの無駄な消費量は、液晶Ｌの泡のこぼれではなく、泡が消泡する際に、はじけて飛散したものの一部であると推考する。
【００５８】
したがって、本実施形態の液晶ボート１によれば、液晶Ｌの無駄な消費量を少なくすることが確実かつ容易にできる。すなわち、高価な液晶Ｌの歩留まりを向上させることができる。
【００５９】
また、本実施形態の液晶ボート１によれば、脱気工程を分割する必要がないので、従来の脱気工程を分割する場合に比べて、脱気に要する労力および時間を確実かつ容易に低減することができる。その結果、脱気工程を自動制御して省力化を図ることもできるので、生産性の向上と、省力化とを容易に図ることができる。
【００６０】
また、本実施形態の液晶ボート１によれば、従来の超音波振動子による振動を液晶に付与することで液晶の泡をその発生とほぼ同時に消泡するものではなく、液晶溜め２それ自体の形状効果によって、液晶Ｌの泡が外部にこぼれるのを防止することができるので、装置の構造を複雑にすることがない。
【００６１】
さらに、本実施形態の液晶ボート１によれば、液晶Ｌの無駄な消費量を少なくすることができるので、液晶ボート１の液晶溜め２に新たに補充する液晶Ｌの補充量を従来より少なくすることができる。
【００６２】
さらにまた、本実施形態の液晶ボート１によれば、液晶溜め２の容積が従来より大きいので、液晶溜め２への液晶Ｌの注ぎ足し回数を少なくすることもできる。
【００６３】
したがって、本実施形態の液晶ボートによれば、液晶表示パネルの生産性の向上と、省力化とを容易に図ることができるとともに、液晶表示パネルの低コスト化を図ることができる。
【００６４】
また、本実施形態の液晶ボート１によれば、液晶溜め２の幅方向に配置される内側面２ｃが、液晶吸引保持体Ｙ側に向かって傾斜した傾斜面とされているので、減圧によって生じた液晶Ｌの泡を、上部開口２ａの幅方向の中央側、すなわち、液晶吸引保持体Ｙの外周面に寄せることができるので、液晶Ｌの泡が外部にこぼれるのを防止する効果を増大することができる。このことは、液晶溜め２に貯留する液晶Ｌの液面を、内側面２ｃを底面２ｂに対して垂直とした場合よりも高く保持することができるので、液晶溜め２に新たに補充する液晶Ｌの補充量を従来より少なくした場合であっても、液晶吸引保持体Ｙの下部を液晶Ｌの液面の下方に保持することが確実にできる。すなわち、液晶溜め２の液晶吸引保持体Ｙの側方に位置する上部開口２ａの幅方向のサイズＷＢを大きくしても、液晶吸引保持体Ｙの下部を液晶Ｌに浸漬することが容易にできる。
【００６５】
またさらに、本実施形態の液晶ボート１によれば、傾斜面の底面側に位置する端縁が、液晶溜め２の液晶吸引保持体Ｙが載置される保持体載置領域４の幅方向の外側に形成されているので、液晶吸引保持体Ｙの配設位置に干渉することなく、液晶溜め２に貯留する液晶Ｌの液面を高くすることが容易にできる。
【００６６】
さらにまた、本実施形態の液晶ボート１によれば、液晶溜め２の内部に、液晶吸引保持体Ｙの水平方向の位置決めを行う位置決め部材としての位置決めガイド３が設けられているので、液晶吸引保持体Ｙの位置決めを確実かつ容易にできる。
【００６７】
また、本実施形態の液晶ボート１によれば、液晶溜め２の液晶吸引保持体Ｙの幅方向外側に位置する上部開口２ａの幅方向のサイズＷｂが従来より大きく形成されているので、液晶溜め２に人手により注射針を用いて液晶Ｌを補充する際の液晶Ｌのこぼれを防止することができるという副次的な効果を得ることができる。
【００６８】
本発明の液晶ボートは、携帯電話の表示部に使用されている液晶表示パネルをはじめ、液晶テレビ、液晶モニタなどの多種多様の液晶表示パネルに対する液晶の注入に用いることができる。
【００６９】
なお、本発明は、前述した実施形態に限定されるものではなく、必要に応じて種々の変更が可能である。
【図面の簡単な説明】
【００７０】
【図１】本発明に係る液晶ボートの実施形態の要部構成を示す概略断面図
【図２】図１の縮小平面図
【図３】従来の液晶注入装置の要部構成を示す概略断面図
【図４】図３の液晶ボートの概略平面図
【符号の説明】
【００７１】
１  液晶ボート
２  液晶溜め
２ａ  上部開口
２ｂ  底面
２ｃ  内側面
２ｄ  内端面
３  位置決め部材
４  保持体載置領域
ＷＡ  上部開口の幅方向のサイズ
Ｗａ  位置決めガイドの相互間の間隔
Ｗｂ  液晶溜めの液晶吸引保持体の長手方向に対して直交する幅方向外側に位置する上部開口の幅方向のサイズ
ＬＡ  上部開口の長手方向のサイズ
Ｌａ  内端面とこの内端面と対向する液晶吸引保持体の端面との相互間の間隔
Ｙ  液晶吸引保持体
Ｙａ  液晶吸引保持体の幅方向のサイズ
Ｌ  液晶
Ｖ  減圧槽
Ｐ  空パネル
Ｐａ  注入口
Ｃ  受け皿
【図１】
2005345500.tif 000004
【図２】
2005345500.tif 000005
【図３】
2005345500.tif 000006
【図４】
2005345500.tif 000007